(57)【要約】    【課題】  皮膚に極浅く刺入でき、刺入感覚のほとんどない短鍼を提供する。    【解決手段】  円板状の台座１の中央部に形成した貫通孔１ａに、先端側に針先２ａを形成した針体２を挿入して、針先２ａが台座１の表面から突出した状態で固定する。そして、台座２の裏面と略面一に針体１の基端側をカットし、画鋲形の鍼とする。そして、これを絆創膏に保持させて用いる。【選択図】  図１
2008113714.tif 000002
【特許請求の範囲】
【請求項１】
中央部に貫通孔を有する板状の台座と、
この台座の貫通孔に挿入されて、先端側の針先が台座の表面から突出した状態で固定され、基端側が台座の裏面側でカットされた針体と、
を含んで構成される鍼。
【請求項２】
更に、前記台座と固定されて粘着面により皮膚に貼り付けられる絆創膏を含んで構成される請求項１記載の鍼。
【請求項３】
前記絆創膏に対し、その非粘着面側に前記台座を配置して、前記針体の針先を前記絆創膏に形成した孔から粘着面側へ露出させた状態で、前記絆創膏と前記台座とを固定したことを特徴とする請求項２記載の鍼。
【請求項４】
前記絆創膏の非粘着面上に成形されて、前記台座を覆う樹脂材により、前記絆創膏と前記台座とを固定したことを特徴とする請求項３記載の鍼。
【請求項５】
前記絆創膏に対し、その粘着面側に前記台座を配置して、前記絆創膏の粘着面の中央部に前記台座の裏面を貼り付けることにより、前記絆創膏と前記台座とを固定したことを特徴とする請求項２記載の鍼。
【請求項６】
板状の台座の中央部に形成した貫通孔に、先端側に針先を形成した針体を挿入して、針先が台座の表面から突出した状態で固定し、台座の裏面側で針体の基端側をカットすることを特徴とする鍼の製造方法。
【発明の詳細な説明】
【技術分野】
【０００１】
本発明は、東洋医学における鍼治療に用いる鍼、特に皮膚に浅く刺入できる短鍼に関し、また、その製造方法に関する。
【背景技術】
【０００２】
従来の短鍼としては、特許文献１に開示されているような絆創膏付きの鍼（円皮針）がある。
この特許文献１には、（１）従来技術として、先端に針先を形成した針体の基端側を曲げ、更に巻いてコイルバネ状の座部を形成し、その座部を絆創膏に固定するようにしたもの、（２）改良技術として、針体の基端側を曲げてＬ字状にし、その曲げた基端側を射出成形樹脂によって絆創膏に固定するようにしたもの、が記載されている。
【０００３】
尚、針体の基端側を曲げ更に巻いてコイルバネ状の座部を形成したり、針体の基端側を曲げてＬ字状にするのは、ハンドリングのため、すなわち、製造・組立ラインにて針体を取扱う際に掴む部分を確保するため、でもある。
【特許文献１】特開２０００−０５１３１５号公報
【発明の開示】
【発明が解決しようとする課題】
【０００４】
しかしながら、上記（１）、（２）の従来の鍼は、いずれも針体に曲げを持たせており、曲げ加工を可能にするためには、曲げ部分から両端にそれぞれある程度の長さが必要であるがゆえ、曲げ部分から針先までの突出長さを短くするには、限度がある。実際に、本出願人が試した結果でも、曲げ部分から針先までの突出長さの最小限界は１．３ｍｍで、それ以下にすることはできなかった。
【０００５】
その一方、近年、短鍼として、皮膚に極浅く刺入でき、刺入感覚がほとんどない鍼（１．３ｍｍ以下で、望ましくは０．３ｍｍ程度の長さの鍼）が求められている。
本発明は、このような実状に鑑み、製造方法を一新することにより、皮膚に極浅く刺入でき、刺入感覚がほとんどないような短鍼を提供可能とすることを目的とする。
【課題を解決するための手段】
【０００６】
このため、本発明では、板状の台座の中央部に形成した貫通孔に、先端側に針先を形成した針体を挿入して、針先が台座の表面から突出した状態で固定し、台座の裏面側で針体の基端側をカットすることにより、鍼（短鍼）を製造する。
すなわち、本発明に係る鍼（短鍼）は、中央部に貫通孔を有する板状の台座と、この台座の貫通孔に挿入されて、先端側の針先が台座の表面から突出した状態で固定され、基端側が台座の裏面側でカットされた針体とを含んで構成される。
【発明の効果】
【０００７】
本発明によれば、台座を用い、これに針体を挿入固定してから、針体の基端側をカットすることにより、針体を短くすることができ、台座の表面から針先までの突出長さも極短くすることができる。また、針体が短くなっても、台座をハンドリングすればよいので、取り扱いが不自由となることはない。従って、皮膚に極浅く刺入でき、刺入感覚がほとんどない鍼を提供できるのである。
【発明を実施するための最良の形態】
【０００８】
以下に本発明の実施の形態を図面に基づいて説明する。
図１は本発明に係る鍼（短鍼）の製造方法を示す図である。
先ず、図１（ａ）に示すように、金属で加工され、又は樹脂で成形され、中央部に貫通孔１ａを有する円板状の台座１を用意する。台座１の板厚ｔ１は０．５〜１ｍｍ程度である。そして、この貫通孔１ａに挿入すべく、針体２を用意し、針体２は、尖先加工により、先端側に針先２ａを形成する。
【０００９】
次に、図１（ｂ）に示すように、水平に位置決めした台座１の貫通孔１ａに対し、針体２を、先端側の針先２ａが台座１の表面（下面）から所定量突出するまで、垂直に挿入（圧入）する。
次に、図１（ｃ）に示すように、台座１の裏面（上面）と略面一に針体２の基端側（余剰部分）を切断工具又はレーザー加工機でカットする。
【００１０】
尚、台座１と針体２とは、挿入時に圧入によって固定するか、挿入時に圧入によって仮固定し、カット後に、溶接や接着材によって固定する。
このような構造の鍼（画鋲形の鍼）であれば、鍼の突出長さ（台座１の表面からの針先２ａの突出長さ）ｔ２を極短くできる。すなわち、ｔ２＝０．３ｍｍ程度にすることが可能である。また、短くしても、台座１をハンドリングすればよいので、取り扱いが不自由となることはない。
【００１１】
次に、絆創膏付きの鍼（円皮針）とする場合について説明する。
図２、図３は第１実施形態を示している。図２は断面図、図３は平面図である。
絆創膏３は、台座１より大きな円形をなし、一方の面（下面）が粘着面３ａで、他方の面（上面）が非粘着面であり、中央に孔３ｂを有している。この絆創膏３に対し、その非粘着面側の中央に台座１を配置して、針体２の針先２ａを絆創膏３に形成した孔３ｂから粘着面３ａ側へ露出させた状態で、絆創膏３と台座１とを固定する。
【００１２】
具体的には、絆創膏３の非粘着面上に、台座１を覆うように、樹脂材４を射出成形又は塗布することで、この樹脂材４により、絆創膏３と台座１とを固定する。
図４はこの絆創膏付き鍼の滅菌包装形態を示している。
絆創膏３の粘着面３ａ側には、これより一回り大きい剥離紙１０を貼ってある。
収納容器は、鍼（円皮針）を針先を下にして収納可能な凹部を有する樹脂製の容器本体１１と、容器本体１１内に鍼（円皮針）を収納した状態で、容器本体１１の上面の外枠部分に剥離可能に貼り付けられて凹部の開口部を密閉する滅菌ガス透過性シート１２とから構成される。そして、収納・密閉後に、滅菌処理（ガス滅菌）を施して、完成する。
【００１３】
以上のようにして完成した鍼（円皮針）の使用に際しては、鍼（円皮針）を収納容器から取り出した後、絆創膏３から剥離紙１０を剥がして、針先２ａをつぼにあてがい、刺通しつつ、絆創膏３の粘着面３ａを皮膚に貼付して、固定する。
図５、図６は第２実施形態を示している。図５は断面図、図６は平面図である。
絆創膏３は、台座１より大きな円形をなし、一方の面（下面）が粘着面３ａで、他方の面（上面）が非粘着面である。この絆創膏３に対し、その粘着面（下面）３ａ側の中央に台座１を配置して、絆創膏３の粘着面３ａの中央部に台座１の裏面を貼り付けることにより、絆創膏３と台座１とを固定する。
【００１４】
図７はこの絆創膏付き鍼の滅菌包装形態を示しており、前述の実施形態と同じく、剥離紙１０、収納容器本体１１、滅菌ガス透過性シートを用いている。
以上説明した本発明に係る鍼は、鍼長が短いため、皮膚に極浅く刺入でき、刺入感覚のほとんどない鍼とすることができる。
また、刺入感覚がほとんどないという特長をいかし、偽鍼と併用すれば、鍼治療に臨床的エビデンス（根拠）を与えるための二重盲検試験を行うことができる。
【００１５】
すなわち、本発明に係る鍼と、これと同じ外観を有し少なくとも針先を除去した偽鍼とを用いることで、患者はもちろん施術者にも、本鍼か偽鍼かがわからない状態で、治療効果の有無を調べ、鍼治療の有用性の立証に役立てることができるのである。
【図面の簡単な説明】
【００１６】
【図１】本発明に係る鍼の製造方法を示す図
【図２】第１実施形態を示す絆創膏付き鍼の断面図
【図３】第１実施形態の絆創膏付き鍼の平面図
【図４】第１実施形態の絆創膏付き鍼の滅菌包装形態を示す断面図
【図５】第２実施形態を示す絆創膏付き鍼の断面図
【図６】第２実施形態の絆創膏付き鍼の平面図
【図７】第２実施形態の絆創膏付き鍼の滅菌包装形態を示す断面図
【符号の説明】
【００１７】
１  台座
１ａ  貫通孔
２  針体
２ａ  針先
３  絆創膏
３ａ  粘着面
３ｂ  孔
４  樹脂材
１０  剥離紙
１１  収納容器
１２  滅菌ガス透過性シート
【図１】
2008113714.tif 000003
【図２】
2008113714.tif 000004
【図３】
2008113714.tif 000005
【図４】
2008113714.tif 000006
【図５】
2008113714.tif 000007
【図６】
2008113714.tif 000008
【図７】
2008113714.tif 000009